【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
ストリームデータを再生するための副再生情報を記録する情報処理装置であって、
第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む前記副再生情報を記録する記録手段
を有する情報処理装置。
【請求項２】
前記第１のストリームデータのプレゼンテーションタイムに基づくタイムベースによる管理は、プレゼンテーションタイムスタンプと、それに対応するアクセスユニットを構成するトランスポートパケットのアドレスとのペアを有するアドレステーブルを用いて実現される
請求項１に記載の情報処理装置。
【請求項３】
前記記録手段は、前記副再生情報とともに前記アドレステーブルを記録する
請求項２に記載の情報処理装置。
【請求項４】
前記第２のストリームデータは、プレゼンテーションタイムに基づくタイムベースにより管理される
請求項１に記載の情報処理装置。
【請求項５】
前記記録手段は、前記第１のストリームデータがアライバルタイムに基づくタイムベースにより管理される場合には、前記副再生情報を記録しない
請求項１に記載の情報処理装置。
【請求項６】
前記記録手段は、前記副再生情報とともに前記第２のストリームを記録する
請求項１に記載の情報処理装置。
【請求項７】
前記副再生情報は、ストリームデータの再生を指定する再生指定情報に含まれる
請求項１に記載の情報処理装置。
【請求項８】
前記再生指定情報は、前記第１のストリームデータがプレゼンテーションタイムに基づくタイムベースにより管理されるかを示す種別情報を含む
請求項７に記載の情報処理装置。
【請求項９】
ストリームデータを再生するための副再生情報を記録する情報処理装置の情報処理方法であって、
第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む前記副再生情報を記録する記録ステップ
を含む情報処理方法。
【請求項１０】
ストリームデータを再生するための副再生情報を記録する情報処理装置を制御するコンピュータに、
第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む前記副再生情報を記録する記録ステップ
を実行させるためのプログラムを記録したコンピュータ読み取り可能な記録媒体。
【請求項１１】
ストリームデータを再生するための副再生情報を記録する情報処理装置を制御するコンピュータに、
第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む前記副再生情報を記録する記録ステップ
を実行させるためのプログラム。
【請求項１２】
ストリームデータを再生するための副再生情報の記録を制御する制御装置であって、
第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む前記副再生情報の記録を制御する記録制御手段
を有する制御装置。
【請求項１３】
ストリームデータを再生する情報処理装置であって、
第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得手段と、
前記副再生情報に基づいて前記第２のストリームデータを再生する再生手段と
を有する情報処理装置。
【請求項１４】
ストリームデータを再生する情報処理装置の情報処理方法であって、
第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得ステップと、
前記副再生情報に基づいて前記第２のストリームデータを再生する再生ステップと
を含む情報処理方法。
【請求項１５】
ストリームデータを再生する情報処理装置を制御するコンピュータに、
第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得ステップと、
前記副再生情報に基づいて前記第２のストリームデータを再生する再生ステップと
を実行させるためのプログラムを記録したコンピュータ読み取り可能な記録媒体。
【請求項１６】
ストリームデータを再生する情報処理装置を制御するコンピュータに、
第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得ステップと、
前記副再生情報に基づいて前記第２のストリームデータを再生する再生ステップと
を実行させるためのプログラム。
【請求項１７】
ストリームデータの再生を制御する制御装置であって、
第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得手段と、
前記副再生情報に基づいて前記第２のストリームデータの再生を制御する再生制御手段と
を有する制御装置。
【請求項１８】
第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を有するデータ構造のデータが記録された記録媒体であって、
前記データ構造のデータを取得した情報処理装置により、
前記副再生情報に基づいて前記第２のストリームデータが再生される
データ構造のデータが記録された記録媒体。
【手続補正２】
【補正対象書類名】明細書
【補正対象項目名】発明の名称
【補正方法】変更
【補正の内容】
【発明の名称】情報処理装置、情報処理方法、記録媒体、およびプログラム、並びに制御装置
【手続補正３】
【補正対象書類名】明細書
【補正対象項目名】０００１
【補正方法】変更
【補正の内容】
【０００１】
本発明は情報処理装置、情報処理方法、記録媒体、およびプログラム、並びに制御装置に関し、特に、GUIなどに説明表示する情報、主の再生経路の情報、副の再生経路の情報、主の再生経路を構成する個々の再生区間の間の接続情報、ユーザが所望したシーンにセットするブックマークやリジューム点の情報などの情報を含むファイルを記録する情報処理装置、情報処理方法、記録媒体、およびプログラム、並びに制御装置に関する。
【手続補正４】
【補正対象書類名】明細書
【補正対象項目名】００１１
【補正方法】変更
【補正の内容】
【００１１】
本発明の第１の側面の情報処理装置は、第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む副再生情報を記録する記録手段を有する。
【手続補正５】
【補正対象書類名】明細書
【補正対象項目名】００１９
【補正方法】変更
【補正の内容】
【００１９】
本発明の第１の側面の情報処理方法は、第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む副再生情報を記録する記録ステップを含む。
【手続補正６】
【補正対象書類名】明細書
【補正対象項目名】００２０
【補正方法】変更
【補正の内容】
【００２０】
本発明の第１の側面の記録媒体、またはプログラムは、第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む副再生情報を記録する記録ステップをコンピュータに実行させるためのプログラムを記録したコンピュータ読み取り可能な記録媒体、またはコンピュータに実行させるためのプログラムである。
【手続補正７】
【補正対象書類名】明細書
【補正対象項目名】００２１
【補正方法】変更
【補正の内容】
【００２１】
本発明の第１の側面の制御装置は、第１のストリームデータとともに再生される第２のストリームデータの指定がある場合には、前記第１のストリームデータがプレゼンテーションタイムに基づくタイムベースにより管理されるか否かに応じて、前記第２のストリームデータの再生区間を指定する再生区間情報を含む副再生情報の記録を制御する記録制御手段を有する。
【手続補正８】
【補正対象書類名】明細書
【補正対象項目名】００２３
【補正方法】変更
【補正の内容】
【００２３】
本発明の第２の側面の情報処理装置は、第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得手段と、前記副再生情報に基づいて前記第２のストリームデータを再生する再生手段とを有する。
【手続補正９】
【補正対象書類名】明細書
【補正対象項目名】００２４
【補正方法】変更
【補正の内容】
【００２４】
本発明の第２の側面の情報処理方法は、第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得ステップと、前記副再生情報に基づいて前記第２のストリームデータを再生する再生ステップとを含む。
【手続補正１０】
【補正対象書類名】明細書
【補正対象項目名】００２５
【補正方法】変更
【補正の内容】
【００２５】
本発明の第２の側面の記録媒体、またはプログラムは、第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得ステップと、前記副再生情報に基づいて前記第２のストリームデータを再生する再生ステップとをコンピュータに実行させるためのプログラムを記録したコンピュータ読み取り可能な記録媒体、またはコンピュータに実行させるためのプログラムである。
【手続補正１１】
【補正対象書類名】明細書
【補正対象項目名】００２６
【補正方法】変更
【補正の内容】
【００２６】
本発明の第２の側面の制御装置は、第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を取得する取得手段と、前記副再生情報に基づいて前記第２のストリームデータの再生を制御する再生制御手段とを有する。
【手続補正１２】
【補正対象書類名】明細書
【補正対象項目名】００２８
【補正方法】変更
【補正の内容】
【００２８】
本発明の第３の側面の記録媒体は、第１のストリームデータがプレゼンテーションタイムに基づくタイムベースにより管理される場合には、前記第１のストリームデータとともに再生される第２のストリームデータの指定の有無に応じて、前記第２のストリームデータの再生区間を指定する再生区間情報を含む副再生情報を有するデータ構造のデータが記録された記録媒体であって、前記データ構造のデータを取得した情報処理装置により、前記副再生情報に基づいて前記第２のストリームデータが再生される。
【手続補正１３】
【補正対象書類名】明細書
【補正対象項目名】００２９
【補正方法】変更
【補正の内容】
【００２９】
本発明の第３の側面においては、データ構造のデータを取得した情報処理装置により、副再生情報に基づいて第２のストリームデータが再生される。